(57)【要約】【課題】リモコンキー番号に対応するサービス番号や放送事業者名等がユーザーにとって直感的に理解し易く、割り当て設定操作の利便性を向上させることができる地上デジタル放送受信装置を得る。【解決手段】映像信号処理部は、操作信号処理部２２から所定の操作信号が入力されたとき、割当テーブルの情報とリモコンキー配列映像の情報とに基づき、リモコンキー配列映像のリモコンキーに該当するチャンネル情報を付加したリモコン映像信号を生成し、該リモコン映像信号を、画面表示用の映像信号に代えて又は画面表示用の映像信号と合成して出力する。【選択図】図１
2008154053.tif 000002
【特許請求の範囲】
【請求項１】
地上デジタル放送波を受信する受信部と、
前記受信部が受信した地上デジタル放送波に基づき画面表示用の映像信号を出力する映像信号処理部と、
地上デジタル放送のチャンネル識別情報とリモコンキー番号情報とを対応付けた割当テーブルが記憶される第１の記憶部と、
リモコンのキー配列を表示するリモコンキー配列映像の情報が予め記憶された第２の記憶部と、
前記受信部及び前記映像信号処理部の動作を制御する制御部と、
リモコンキー操作に応じた操作信号を入力する操作信号処理部と
を備え、
前記映像信号処理部は、
前記操作信号処理部から所定の操作信号が入力されたとき、前記割当テーブルの情報と前記リモコンキー配列映像の情報とに基づき、リモコンキー配列映像のリモコンキーに該当するチャンネル情報を付加したリモコン映像信号を生成し、該リモコン映像信号を、前記画面表示用の映像信号に代えて又は前記画面表示用の映像信号と合成して出力することを特徴とする地上デジタル放送受信装置。
【請求項２】
前記制御部は、
前記操作信号処理部からリモコンチャンネル設定変更操作の操作信号が入力されると、前記映像信号処理部に対して、前記割当テーブルの情報と前記リモコンキー配列映像の情報とに基づき、変更前の割当テーブルに対応する第１のリモコン映像と、変更後の割当テーブルに対応する第２のリモコン映像とを表示する映像信号を出力させる第１の出力指示手段と、
前記操作信号処理部から、前記第１のリモコン映像のリモコンキーを選択する操作信号の入力と、前記第２のリモコン映像のリモコンキーを選択する操作信号の入力とがされると、前記割当テーブルのうち、前記第２のリモコン映像から選択されたリモコンキー番号に対応するチャンネル識別情報を、前記第１のリモコン映像から選択されたリモコンキー番号に対応するチャンネル識別情報に変更する第１の変更手段と
を有することを特徴とする請求項１記載の地上デジタル放送受信装置。
【請求項３】
前記制御部は、
前記操作信号処理部から再スキャン開始操作の操作信号が入力されると、又は所定時間経過毎に、前記受信部に対して、地上デジタル放送波から受信可能なチャンネルの識別情報と当該チャンネルのリモコンキー番号の情報とを取得させる指示手段と、
取得された前記チャンネル識別情報と前記リモコンキー番号情報とを対応付けて再スキャン結果テーブルとして前記第１の記憶部に記憶させる第１の記憶指示手段と、
前記操作信号処理部から再スキャン結果に基づくリモコンチャンネル設定変更操作の操作信号が入力されると、前記映像信号処理部に対して、前記割当テーブルの情報と前記リモコンキー配列映像の情報とに基づく第３のリモコン映像と、前記再スキャン結果テーブルの情報と前記リモコンキー配列映像の情報とに基づく第４のリモコン映像とを表示する映像信号を出力させる第２の出力指示手段と、
前記操作信号処理部から、前記第３のリモコン映像のリモコンキーを選択する操作信号の入力と、前記第４のリモコン映像のリモコンキーを選択する操作信号の入力とがされると、前記割当テーブルのうち、前記第３のリモコン映像から選択されたリモコンキー番号に対応するチャンネル識別情報を、前記再スキャン結果テーブルの前記第４のリモコン映像から選択されたリモコンキー番号に対応するチャンネル識別情報に変更する第２の変更手段と
を有することを特徴とする請求項１又は２記載の地上デジタル放送受信装置。
【請求項４】
前記制御部は、
地上デジタル放送のチャンネル毎の視聴履歴に基づき、各チャンネルを順序づけて、該チャンネル順序の情報及び該チャンネルの識別情報を前記第１の記憶部に記憶させる第２の記憶指示手段と、
前記操作信号処理部からリモコンチャンネル設定変更操作の操作信号が入力されると、前記映像信号処理部に対して、前記割当テーブルの情報と前記リモコンキー配列映像の情報とに基づくリモコン映像と、前記チャンネル順序の情報及び該チャンネルの識別情報を表示するチャンネルリスト映像とを表示する映像信号を出力させる第３の出力指示手段と、
前記操作信号処理部から、前記リモコン映像のリモコンキーを選択する操作信号の入力と、前記チャンネルリスト映像のチャンネルを選択する操作信号の入力とがされると、前記割当テーブルのうち、前記リモコン映像から選択されたリモコンキー番号に対応するチャンネル識別情報を、前記チャンネルリスト映像から選択されたチャンネル識別情報に変更する第３の変更手段と
を有することを特徴とする請求項１〜３の何れかに記載の地上デジタル放送受信装置。
【請求項５】
前記第２の記憶部は、それぞれキー配列が異なる複数のリモコンキー配列映像の情報が予め記憶され、
前記制御部は、
前記操作信号処理部からリモコンキー配列選択操作の操作信号が入力されると、該操作信号に基づき前記複数のリモコンキー配列映像のうち何れかを選択し、前記映像信号処理部に対して、選択したリモコンキー配列映像の情報に基づき、前記リモコン映像を表示する映像信号を出力させる第４の出力指示手段を有することを特徴とする請求項１〜４の何れかに記載の地上デジタル放送受信装置。
【発明の詳細な説明】
【技術分野】
【０００１】
本発明は、地上デジタル放送受信装置に関し、特に、チャンネル設定時の画面映像に関する。
【背景技術】
【０００２】
地上デジタル放送では、地上デジタル放送を受信できる地上デジタル放送受信装置を設置するとき、選局チャンネルの設定が行われることになる。この選局チャンネルの設定は、一般に地上デジタル放送信号を受信（スキャン）して、地上デジタル放送信号に挿入されたリモートコントロールキー識別信号（remote_control_key_id：以下、「リモートコントロールキーＩＤ」という）を抽出分離した後、その内容を解読してリモートコントロールキーＩＤに割り当てられたチャンネル選局番号（３桁番号又は枝番を付した４桁の番号、以下、「サービス番号」ともいう）を、１〜１２のワンタッチ選局キー（以下、「リモコンキー」ともいう）に自動的に割り振るようになっている。この自動割り当てによって、ワンタッチ選局キーでチャンネル選局番号を指定することにより、希望するチャンネル（放送事業者）を選局することができる。
また、このような選局チャンネルの設定は、定期的又は任意の操作により再度受信（再スキャン）して、新たに受信可能となったチャンネルが追加又は更新される。
【０００３】
また、複数の番組の中から利用者の嗜好に適合した番組を効率的に検索及び選択するものとして、例えば、「番組を選択する装置であって、表示手段と、一定量の番組の番組毎に、番組の内容を表す複数の番組情報を保持する番組情報保持手段と、番組の視聴履歴を保持する視聴履歴保持手段と、前記視聴履歴保持手段に保持された視聴履歴に基づいて前記番組情報保持手段に保持された番組情報を前記表示手段に表示させる表示制御手段とを備えることを特徴とする番組選択装置」が提案されている（例えば、特許文献１参照）。
【０００４】
【特許文献１】特開平１１−７５１２８公報（請求項１）
【発明の開示】
【発明が解決しようとする課題】
【０００５】
従来の地上デジタル放送受信装置は、上述したようなリモコンキーとサービス番号との割り当て設定（以下、単に「割り当て設定」ともいう）を変更する場合、リモコンキー番号に対応するサービス番号や放送事業者名等を表示する一覧表などを表示させ、変更する当該リモコンキー番号に対応するサービス番号を、利用者がリモコンなどを利用して３桁又は４桁の番号を入力し、当該リモコンキーとサービス番号との割り当て設定を変更している。
しかしながら、このような一覧表を表示させるものは、ユーザーにとって直感的に理解しにくく、また、上述のような割り当て設定を変更する際にサービス番号を直接入力するものは、操作が煩雑で利便性が悪い、という問題点があった。
【０００６】
また、再スキャンにより新たに受信可能となったチャンネルの割り当て設定をする際に、任意のチャンネルの割り当て設定のみを反映させることができず、新たなチャンネルの割り当て設定が、ユーザにより変更された割り当て設定に上書きされてしまう、という問題点があった。
【０００７】
さらに、上述のようなリモコンキーの割り当て設定を変更する場合、多数のチャンネルのうちユーザーの嗜好に沿ったチャンネルがどれであるか分からない、という問題点があった。
【０００８】
本発明は、このような問題点を解決するためになされたものであり、リモコンキー番号に対応するサービス番号や放送事業者名等がユーザーにとって直感的に理解し易く、割り当て設定操作の利便性を向上させることができ、再スキャンにより新たなチャンネルを受信した際に、任意のチャンネルの割り当て設定を反映させることができ、ユーザーの嗜好に沿ったチャンネルの割り当てを促すことができる地上デジタル放送受信装置を得ることを目的とする。
【課題を解決するための手段】
【０００９】
本発明に係る地上デジタル放送受信装置は、地上デジタル放送波を受信する受信部と、前記受信部が受信した地上デジタル放送波に基づき画面表示用の映像信号を出力する映像信号処理部と、地上デジタル放送のチャンネル識別情報とリモコンキー番号情報とを対応付けた割当テーブルが記憶される第１の記憶部と、リモコンのキー配列を表示するリモコンキー配列映像の情報が予め記憶された第２の記憶部と、前記受信部及び前記映像信号処理部の動作を制御する制御部と、リモコンキー操作に応じた操作信号を入力する操作信号処理部とを備え、前記映像信号処理部は、前記操作信号処理部から所定の操作信号が入力されたとき、前記割当テーブルの情報と前記リモコンキー配列映像の情報とに基づき、リモコンキー配列映像のリモコンキーに該当するチャンネル情報を付加したリモコン映像信号を生成し、該リモコン映像信号を、前記画面表示用の映像信号に代えて又は前記画面表示用の映像信号と合成して出力する。
本発明においては、地上デジタル放送のチャンネル識別情報とリモコンキー番号情報とを対応付けた割当テーブルの情報と、リモコンキー配列映像の情報とに基づき、リモコンキー配列映像のリモコンキーに該当するチャンネル情報を付加したリモコン映像信号を生成し、該リモコン映像信号を表示しており、このため、リモコンキー番号に対応するサービス番号や放送事業者名等のチャンネル識別情報を、ユーザが直感的に理解し易くすることができる。
【００１０】
本発明に係る地上デジタル放送受信装置においては、前記制御部は、前記操作信号処理部からリモコンチャンネル設定変更操作の操作信号が入力されると、前記映像信号処理部に対して、前記割当テーブルの情報と前記リモコンキー配列映像の情報とに基づき、変更前の割当テーブルに対応する第１のリモコン映像と、変更後の割当テーブルに対応する第２のリモコン映像とを表示する映像信号を出力させる第１の出力指示手段と、前記操作信号処理部から、前記第１のリモコン映像のリモコンキーを選択する操作信号の入力と、前記第２のリモコン映像のリモコンキーを選択する操作信号の入力とがされると、前記割当テーブルのうち、前記第２のリモコン映像から選択されたリモコンキー番号に対応するチャンネル識別情報を、前記第１のリモコン映像から選択されたリモコンキー番号に対応するチャンネル識別情報に変更する第１の変更手段とを有する。
本発明においては、変更前の割当テーブルに対応する第１のリモコン映像と、変更後の割当テーブルに対応する第２のリモコン映像とを表示して、この第１及び第２のリモコン映像から選択されたリモコンキーに対応するチャンネル識別情報の割り当てを変更しており、このため、リモコンキー番号に対応するサービス番号や放送事業者名等のチャンネル識別情報の割り当てを変更する際、ユーザーが直感的に理解し易く、割り当て設定操作の利便性を向上させることができる。
【００１１】
本発明に係る地上デジタル放送受信装置においては、前記制御部は、前記操作信号処理部から再スキャン開始操作の操作信号が入力されると、又は所定時間経過毎に、前記受信部に対して、地上デジタル放送波から受信可能なチャンネルの識別情報と当該チャンネルのリモコンキー番号の情報とを取得させる指示手段と、取得された前記チャンネル識別情報と前記リモコンキー番号情報とを対応付けて再スキャン結果テーブルとして前記第１の記憶部に記憶させる第１の記憶指示手段と、前記操作信号処理部から再スキャン結果に基づくリモコンチャンネル設定変更操作の操作信号が入力されると、前記映像信号処理部に対して、前記割当テーブルの情報と前記リモコンキー配列映像の情報とに基づく第３のリモコン映像と、前記再スキャン結果テーブルの情報と前記リモコンキー配列映像の情報とに基づく第４のリモコン映像とを表示する映像信号を出力させる第２の出力指示手段と、前記操作信号処理部から、前記第３のリモコン映像のリモコンキーを選択する操作信号の入力と、前記第４のリモコン映像のリモコンキーを選択する操作信号の入力とがされると、前記割当テーブルのうち、前記第３のリモコン映像から選択されたリモコンキー番号に対応するチャンネル識別情報を、前記再スキャン結果テーブルの前記第４のリモコン映像から選択されたリモコンキー番号に対応するチャンネル識別情報に変更する第２の変更手段とを有する。
本発明においては、割当テーブルの情報とリモコンキー配列映像の情報とに基づく第３のリモコン映像と、再スキャン結果テーブルの情報とリモコンキー配列映像の情報とに基づく第４のリモコン映像とを表示して、この第３及び第４のリモコン映像から選択されたリモコンキーに対応するチャンネル識別情報の割り当てを変更しており、このため、再スキャンにより新たなチャンネルを受信した際に、任意のチャンネルの割り当て設定を反映させることができる。
【００１２】
本発明に係る地上デジタル放送受信装置においては、前記制御部は、地上デジタル放送のチャンネル毎の視聴履歴に基づき、各チャンネルを順序づけて、該チャンネル順序の情報及び該チャンネルの識別情報を前記第１の記憶部に記憶させる第２の記憶指示手段と、前記操作信号処理部からリモコンチャンネル設定変更操作の操作信号が入力されると、前記映像信号処理部に対して、前記割当テーブルの情報と前記リモコンキー配列映像の情報とに基づくリモコン映像と、前記チャンネル順序の情報及び該チャンネルの識別情報を表示するチャンネルリスト映像とを表示する映像信号を出力させる第３の出力指示手段と、前記操作信号処理部から、前記リモコン映像のリモコンキーを選択する操作信号の入力と、前記チャンネルリスト映像のチャンネルを選択する操作信号の入力とがされると、前記割当テーブルのうち、前記リモコン映像から選択されたリモコンキー番号に対応するチャンネル識別情報を、前記チャンネルリスト映像から選択されたチャンネル識別情報に変更する第３の変更手段とを有する。
本発明においては、リモコン映像と、地上デジタル放送のチャンネル毎の視聴履歴に基づき、各チャンネルを順序づけたチャンネルリスト映像とを表示しており、このため、割り当て設定をする際、ユーザーの嗜好に沿ったチャンネルの割り当てを促すことができる。
【００１３】
本発明に係る地上デジタル放送受信装置においては、前記第２の記憶部は、それぞれキー配列が異なる複数のリモコンキー配列映像の情報が予め記憶され、前記制御部は、前記操作信号処理部からリモコンキー配列選択操作の操作信号が入力されると、該操作信号に基づき前記複数のリモコンキー配列映像のうち何れかを選択し、前記映像信号処理部に対して、選択したリモコンキー配列映像の情報に基づき、前記リモコン映像を表示する映像信号を出力させる第４の出力指示手段を有する。
本発明においては、キー配列が異なる複数のリモコンキー配列映像のうち何れかを選択し、選択されたキー配列のリモコン映像を表示しており、このため、複数のキー配列のリモコン映像のうち、任意のリモコン映像を選択することができ、利用するリモコンのキー配列に合ったリモコン映像を選択することができる。
【発明を実施するための最良の形態】
【００１４】
実施の形態１．
図１は実施の形態１に係る地上デジタル放送受信装置の構成を示すブロック図である。この地上デジタル放送受信装置１は、ＭＰＥＧ（Moving Picture Experts Group）方式に準拠し、映像／音声データをビットストリームとしてデジタル変調するＯＦＤＭ（Orthogonal Frequency Division Multiplexing）方式などにより地上デジタル放送を受信するものである。図１において、地上デジタル放送受信装置１は、アンテナ１０、チューナー１１、デマルチプレクサ（ＤＥＭＵＸ）１２、映像信号処理回路１３、ＯＳＤ（On Screen Display）処理回路１４、表示デバイス１５、音声信号処理回路１６、アンプ１７、スピーカー１８、リモコン２１、操作信号処理部２２、及び制御部２５を備えている。そして、チューナー１１、デマルチプレクサ１２、映像信号処理回路１３、ＯＳＤ処理回路１４、音声信号処理回路１６、操作信号処理部２２、及び制御部２５は、バス２６を介して接続されており、制御部２５により回路全体が制御されている。さらに、制御部２５は、ＣＰＵ２５１、このＣＰＵ２５１が実行すべきプログラムや固定データ、後述するリモコンキー配列映像の情報などが予め記憶されたＲＯＭ（Read Only Memory）２５２、ＣＰＵ２５１のワークエリアなどとして機能するＲＡＭ（Random Access Memory）２５３、後述する割当テーブルや、再スキャン結果テーブル等のデータが記録される不揮発性メモリであるＮＶＲＡＭ（Non Volatile RAM）２５４によって構成されている。尚、チューナー１１及びデマルチプレクサ１２は、本発明の受信部に相当し、映像信号処理回路１３及びＯＳＤ処理回路１４は、本発明の映像信号処理部に相当し、ＮＶＲＡＭ２５４は、本発明の第１の記憶部に相当し、ＲＯＭ２５２は、本発明の第２の記憶部に相当する。さらに、ＣＰＵ２５１は、本発明の第１の出力指示手段、第２の出力指示手段、第３の出力指示手段、第４の出力指示手段、指示手段、第１の変更手段、第２の変更手段、第３の変更手段、第１の記憶指示手段、第２の記憶指示手段に相当する。
【００１５】
アンテナ１０は、地上デジタル放送波を受信して、受信した信号をチューナー１１に出力する。チューナー１１は、復調回路、逆インタリーブ回路、誤り訂正回路等を備えており、映像・音声データを含む高周波ディジタル変調信号のうちから、設定されたチャンネルに相当する特定周波数の信号を取り出す処理をする。すなわち、地上ディジタル放送の複数のトランスポンダのなかから一つを選択する処理を行う。デマルチプレクサ１２は、チューナー１１により選択されたトランスポート・ストリームを、ＭＰＥＧ２（Moving Picture Experts Group2）のビデオストリーム、オーディオストリーム、及びＰＳＩ／ＳＩ（Program Specific Information/Service Information）等に分離し、ビデオストリームは映像信号処理回路１３に出力し、オーディオストリームは音声信号処理回路１６に出力し、ＰＳＩ／ＳＩに含まれるリモートコントロールキーＩＤ情報や、番組情報（番組名、番組開始時刻、番組内容情報、番組ジャンル情報等）等は、例えばバス２６を介して制御部２５に出力する。
【００１６】
映像信号処理回路１３は、ビデオデコーダ等を内蔵しており、そのビデオストリームを信号処理して、入力された可変長符号を復号して量子化係数や動きベクトルを求め、逆ＤＣＴ変換や動きベクトルに基づく動き補償制御等を行って、画面表示用の映像信号を表示デバイス１５に出力する。また、ＯＳＤ処理回路１４を経た映像データを受け取ってＤ／Ａ変換を行い、例えばコンポジット映像信号に変換し、画面表示用の映像信号に代えて又は画面表示用の映像信号と合成して表示デバイス１５に出力する。表示デバイス１５はその映像信号による映像を表示する。ＯＳＤ処理回路１４は、制御部２５から出力指示された、後述するリモコン映像や、文字情報や色情報に基づく映像データを生成する回路であり、このＯＳＤ処理回路１４により、例えば番組情報に基づいてＥＰＧ（Electronic Program Guide）表示、データ放送表示、メニュー画面表示等、各種映像データを映像信号処理回路１３へ出力する。音声信号処理回路１６は、デマルチプレクサ１２から入力されたオーディオストリームを信号処理してＤ／Ａ変換し、アンプ１７を介してスピーカー１８に出力して音声を発生させる。
【００１７】
リモコン２１は、制御部２５に対して各種指令を送出するための送信機であり、リモコン２１に設けられた各種キーを操作すると、そのキーに対応した指令を意味する信号、例えば信号光（リモコン信号）が送出される。
操作信号処理部２２は、リモコン２１からの信号光を受光し、これを電気信号に変換して、リモコンキー操作に応じた操作信号を制御部２５に出力する。
【００１８】
図２は実施の形態１に係るリモコンの主要部を模式的に示した図である。リモコン２１には各種キーが設けられており、図に示すように、チューナー選択キー２１１、ワンタッチ選局キー２１２、カーソルキー２１３、エンターキー２１４、チャンネル増・減キー２１７，２１８、メニューキー２１９、その他の操作キーが設けられている。
【００１９】
このような構成により、地上デジタル放送受信装置１は、地上デジタル放送波のうち、受信可能なチャンネルをスキャンして割当テーブル（後述）を生成し、ユーザがリモコン２１を操作して見たいチャンネルを選択すると、その操作信号が操作信号処理部２２を介して制御部２５に入力され、制御部２５は、割当テーブルに基づき、操作信号に応じたチャンネルを選局させるよう、チューナー１１に選局の指示し、チューナー１１は、指示されたチャンネルに相当するトランスポンダを選択して、それがデマルチプレクサ１２を介して、映像信号処理回路１３及び音声信号処理回路１６に出力され、映像信号処理回路１３は上述の信号処理を施して表示デバイス１５に選局されたチャンネルの映像を表示させる。また、音声信号処理回路１６はスピーカー１８に選局されたチャンネルの音声を出力させる。
【００２０】
次に、地上デジタル放送のリモートコントロールキーＩＤ及びこれに基づく割当テーブルについて説明する。
地上波テレビ放送のデジタル化に際し、従来のアナログ放送で視聴者が認識していたチャンネル番号と同じ番号でデジタル放送を受信できるように、放送波の中のＰＳＩ（Program Specific Information：番組特定情報）に含まれる、ＮＩＴ（Network Information Table）上のリモートコントロールキーＩＤ（remote_control_key_id）で、１〜１２のワンタッチキーを指定する仕組みが用意され、従来のアナログ放送のチャンネル番号での選局に準じた方法で、デジタル放送の選局操作を行える仕組みが作られている。
【００２１】
このリモートコントロールキーＩＤの取得は、当該地上デジタル放送受信装置１を設置したとき（初期スキャン）又は所定の操作又は任意のタイミング（再スキャン）で、制御部２５の制御のもとで、地上デジタル放送で使用されている周波数帯を順に検索し、そして、選択された周波数に含まれるチャンネルの受信状態を調べ、受信状態が良く、且つ、これまで受信できていなかったチャンネルがあった場合、新たに受信が可能になったチャンネルとして割当テーブルに登録して、ＮＶＲＡＭ２５４に格納する。
【００２２】
図３は実施の形態１に係る割当テーブルの構成とデータ例である。図に示すように、割当テーブルは、リモコン２１のワンタッチ選局キー２１２の番号に対応する「リモコンキー番号」列と、リモートコントロールキーＩＤから取得した、チャンネル識別情報として、例えば、各リモコンキー番号に対応する「放送事業者名」列、及び３桁又は枝番を付した４桁のチャンネル選局番号である「サービス番号」列とから構成される。尚、割当テーブルのチャンネル識別情報はこれに限らず、リモートコントロールキーＩＤから取得される他の情報、例えば、地域情報や、物理チャンネル情報を登録しても良い。
【００２３】
このように地上デジタル放送においては、ユーザは、各ワンタッチ選局キー２１２毎にチャンネルの割り当て設定を行うことなく、受信可能なチャンネル選局が可能となるが、換言すると、受信チャンネルが割り当てられるワンタッチ選局キー２１２の番号は、リモートコントロールキーＩＤの情報により決定されることになる。
従来の地上デジタル放送受信装置は、ユーザが、このワンタッチ選局キー２１２に対応するチャンネルの割り当てを変更（以下、「リモコンチャンネル設定変更」という）する場合、上述した割当テーブルの情報を表示する一覧表などを表示させ、変更する当該リモコンキー番号に対応するサービス番号を、ユーザがリモコンなどを利用して３桁又は４桁の番号を入力してリモコンチャンネル設定変更を行っている。
【００２４】
しかしながら、このような一覧表を表示させるものは、ユーザーにとって直感的に理解しにくく、操作が煩雑で利便性が悪い。従って、本実施の形態では、リモコンチャンネル設定変更の際、リモコンキー配列を表示するリモコン映像を表示させることにより、ユーザーが直感的に理解し易く、割り当て設定操作の利便性の向上を図る。このような動作の詳細を図４〜図８を用いて以下に説明する。
【００２５】
図４は実施の形態１に係るリモコン型ＧＵＩの構成を示す図、図５は実施の形態１に係るリモコン型ＧＵＩのチャンネル識別表示の詳細を示す図である。
まず、リモコンキー配列を表示するリモコン映像（以下、「リモコン型ＧＵＩ」ともいう）について説明する。図４に示すように、リモコン型ＧＵＩ映像３０は、複数のリモコンキー３１のキー配列を表示するもので、当該地上デジタル放送受信装置１の操作に使用するリモコン２１のワンタッチ選局キー２１２に対応するキー配列を表示するものである。制御部２５のＲＯＭ２５２には、予めリモコンキー配列映像の情報が記憶されており、このリモコンキー配列映像は、図４に示すように、リモコンキーボタンを模したＧＵＩ（Graphical User Interface）であるリモコンキー３１が、所定の配列（例えば、３行４列）に配置された映像である。制御部２５は、後述する動作により、操作信号処理部２２から所定の操作信号が入力されたとき、ＯＳＤ処理回路１４に対してリモコン型ＧＵＩ映像３０を生成させる指示を行い、ＯＳＤ処理回路１４は、上述した割当テーブルのリモコンキー番号、放送事業者名及びサービス番号の情報と、ＲＯＭ２５２に保存されたリモコンキー配列映像の情報とに基づき、図５に示すように、各リモコンキー３１のリモコンキー番号表示３１１に対応する放送事業者名表示３１２及びサービス番号表示３１３を表示するリモコン型ＧＵＩ映像３０の映像データを生成して、映像信号処理回路１３へ出力する。映像信号処理回路１３は、このリモコンキー配列映像のリモコンキーに該当するチャンネル情報を付加したリモコン映像信号であるリモコン型ＧＵＩ映像３０の映像を表示する映像信号を、画面表示用の映像信号に代えて又は画面表示用の映像信号と合成して表示デバイス１５に出力する。このようなリモコン型ＧＵＩ映像３０を用いたリモコンチャンネル設定変更の動作を次に説明する。
【００２６】
図６は実施の形態１に係るリモコンチャンネル設定変更画面を示す図、図７及び図８は実施の形態１に係るリモコンチャンネル設定変更動作を示すフローチャートである。以下、リモコンチャンネル設定変更の動作を図７及び図８に基づき、図６を参照しながら説明する。
【００２７】
（Ｓ１０１）まず、ユーザは、例えばリモコン２１のメニューキー２１９の操作により、リモコンチャンネル設定変更の開始操作を行い、操作信号処理部２２はリモコン２１からの当該操作信号を制御部２５に出力する。制御部２５は、操作信号処理部２２から当該操作信号が入力されたとき、リモコンチャンネル設定変更の動作を開始し、上述した初期スキャンが行われて割当テーブルが作成されているか否かを判断し、割当テーブルが作成されていない場合は、初期スキャンが終了するまで待機する。尚、このとき制御部２５は上述した初期スキャン動作をチューナー１１に対して指示しても良い。
（Ｓ１０２）次に制御部２５は、ＯＳＤ処理回路１４に対して、図６に示す、リモコンチャンネル設定画面１５０の生成を指示する。ＯＳＤ処理回路１４は、初期スキャン動作によりＮＶＲＡＭ２５４に記録された割当テーブルの情報に基づき、変更前の割当テーブルに対応する第１のリモコン映像であるリモコン型ＧＵＩ映像３０（以下、「変更前ＧＵＩ映像３０−１」という）と、変更後の割当テーブルに対応する第２のリモコン映像であるリモコン型ＧＵＩ映像３０（以下、「変更後ＧＵＩ映像３０−２」という）とを表示する映像データを生成し、この映像データは映像信号処理回路１３により映像信号に変換されて表示デバイス１５にリモコンチャンネル設定画面１５０が表示される。尚、変更前ＧＵＩ映像３０−１は、リモコンチャンネル設定変更操作を開始した時点でのチャンネル割当の表示が保持され、変更後ＧＵＩ映像３０−２は、後述する割当変更に伴い、逐次、チャンネル割当の表示が更新されるものである。また、このリモコンチャンネル設定画面１５０には、変更内容を確定させる確定キー１５１及び変更操作を取り消す取消キー１５２が表示され、その他必要なメッセージ等を表示しても良い。
【００２８】
（Ｓ１０３）次に制御部２５は、カウンタ（Ｎ）の値を「１」に設定する。
（Ｓ１０４）制御部２５は、割当テーブルのリモコンキー番号（Ｎ）に、対応するチャンネルが割り当てられているか否かを判断する。
（Ｓ１０５）リモコンキー番号（Ｎ）に、対応するチャンネルが割り当てがない場合、制御部２５は、カウンタ（Ｎ）をインクリメントしてＳ１０４の手順を繰り返す。
（Ｓ１０６）リモコンキー番号（Ｎ）に、対応するチャンネルの割り当てがある場合、制御部２５は、図６に示す変更前ＧＵＩ映像３０−１のリモコンキー３１のうち、リモコンキー番号（Ｎ）のリモコンキー３１を識別する表示（フォーカスＦ１）をさせるようＯＳＤ処理回路１４に指示をする。
（Ｓ１０７）ユーザは、リモコン２１の例えばカーソルキー２１３の操作により、変更前ＧＵＩ映像３０−１のうち、設定変更する所望のリモコンキー３１にフォーカスＦ１を移動させる操作を行う。尚、選択操作はこれに限らず、ワンタッチ選局キー２１２等により選択しても良い。また、ユーザは、所望のリモコンキー３１をフォーカス表示している状態で、リモコン２１の例えばエンターキー２１４を操作して、変更前ＧＵＩ映像３０−１のうち、設定変更するリモコンキー３１を決定する操作を行う。操作信号処理部２２は、ユーザの操作内容に応じた信号を受け取り制御部２５に出力する。
（Ｓ１０８）制御部２５は、カーソルキー２１３等の操作によりフォーカスを移動させる操作信号が入力されたとき、入力された操作信号に応じてカウンタ（Ｎ）の値を変更し、Ｓ１０６の手順により、該当するリモコンキー番号（Ｎ）をフォーカス表示させる。
（Ｓ１０９）制御部２５は、設定変更するリモコンキー３１を決定する操作信号が入力されたとき、当該リモコンキー３１のリモコンキー番号（Ｎ）の情報を保持する。
【００２９】
（Ｓ１１０）次に、制御部２５は、カウンタ（Ｍ）の値に、Ｓ１０９で保持した（Ｎ）の値をセットする。
（Ｓ１１１）制御部２５は、図６に示す変更後ＧＵＩ映像３０−２のリモコンキー３１のうち、リモコンキー番号（Ｍ）のリモコンキー３１をフォーカス表示させるようＯＳＤ処理回路１４に指示をする。
（Ｓ１１２）ユーザは、リモコン２１の例えばカーソルキー２１３の操作により、変更後ＧＵＩ映像３０−２のうち、上記Ｓ１０７で選択したリモコンキー３１を割り当てる所望のリモコンキー３１にフォーカスＦ２を移動させる操作を行う。尚、選択操作はこれに限らず、ワンタッチ選局キー２１２等により選択しても良い。また、ユーザは、所望のリモコンキー３１をフォーカス表示している状態で、リモコン２１の例えばエンターキー２１４を操作して、変更前ＧＵＩ映像３０−２のうち、設定変更するリモコンキー３１を決定する操作を行う。操作信号処理部２２は、ユーザの操作内容に応じた信号を受け取り制御部２５に出力する。
（Ｓ１１３）制御部２５は、カーソルキー２１３等の操作によりフォーカスを移動させる操作信号が入力されたとき、入力された操作信号に応じてカウンタ（Ｍ）の値を変更し、Ｓ１１１の手順により、該当するリモコンキー番号（Ｍ）をフォーカス表示させる。
（Ｓ１１４）制御部２５は、設定変更するリモコンキー３１を決定する操作信号が入力されたとき、当該リモコンキー３１のリモコンキー番号（Ｍ）の情報を保持し、割当テーブルのうち、第２のリモコン映像から選択されたリモコンキー番号（Ｍ）に対応する「放送事業者名」及び「サービス番号」を、リモコンキー番号（Ｎ）に対応する「放送事業者名」及び「サービス番号」に変更する。
次に制御部２５は、上記Ｓ１０６に戻り、再度、変更前ＧＵＩ映像３０−１のリモコンキー３１をフォーカス表示させ、ユーザからの確定キー１５１又は取消キー１５２の操作があるまで、上記Ｓ１０６〜Ｓ１１４までの動作を繰り返す。
【００３０】
以上のように本実施の形態１においては、地上デジタル放送のリモートコントロールキーＩＤに含まれるチャンネル識別情報とリモコンキー番号情報とを対応付けた割当テーブルの情報と、リモコンキー配列映像の情報とに基づき、リモコン型ＧＵＩ映像３０を表示しており、このため、リモコンキー番号に対応するサービス番号や放送事業者名等のチャンネル識別情報を、ユーザが直感的に理解し易くすることができる。
【００３１】
また、変更前ＧＵＩ映像３０−１と変更後ＧＵＩ映像３０−２とを表示して、この変更前ＧＵＩ映像３０−１及び変更後ＧＵＩ映像３０−２から選択されたリモコンキー３１に対応するチャンネル識別情報の割り当てを変更しており、このため、リモコンキー番号に対応するサービス番号や放送事業者名等のチャンネル識別情報の割り当てを変更する際、ユーザーが直感的に理解し易く、割り当て設定操作の利便性を向上させることができる。
【００３２】
尚、上記説明では、変更前ＧＵＩ映像３０−１及び変更後ＧＵＩ映像３０−２から選択されたリモコンキー３１の割り当てを変更したが、何れかのリモコン型ＧＵＩ映像３０のリモコンキー３１の選択状態で、サービス番号をダイレクトに入力して、割当テーブルの設定を変更しても良い。つまり、所望のリモコンキー３１をフォーカス表示している状態で、リモコン２１の操作により３桁又は４桁のサービス番号を入力する。これにより、初期スキャンにより割り当てられない編成チャンネルなどを設定することができると共に、どのワンタッチ選局キー２１２の割り当てを変更しているかを直感的に理解し易くすることができる。
【００３３】
また、変更前ＧＵＩ映像３０−１又は変更後ＧＵＩ映像３０−２において、リモコンキー３１に割り当てられたチャンネル識別情報に応じて、当該リモコンキーの色調を変更させても良い。例えば、放送事業者名毎に色を変更させることにより、さらに、ユーザーが直感的に理解し易く、割り当て設定操作の利便性を向上させることができる。
【００３４】
また、上記説明では、割り当て設定を変更した場合を説明したが、本発明はこれに限らず、任意のワンタッチ選局キー２１２の割り当てチャンネルを削除する場合であっても、同様の効果を奏することは言うまでもない。
【００３５】
実施の形態２．
上記実施の形態１では、初期スキャンの結果により割り当てられたチャンネル設定の変更について説明したが、本実施の形態２は、初期スキャンの後、定期的又は任意の操作により再度受信可能なチャンネルを検索して、新たに受信可能となったチャンネルを割当テーブルに追加又は更新する再スキャン時の割り当て設定について説明する。尚、本実施の形態２における地上デジタル放送受信装置１及びリモコン２１の構成は上記実施の形態１と同様である。
【００３６】
まず、再スキャンにより作成する再スキャン結果テーブルについて説明する。制御部２５は、ユーザによるリモコン２１の操作（例えばメニューキー２１９）により操作信号処理部２２から再スキャン開始操作の操作信号が入力されたとき、又は所定時間経過毎に、上記実施の形態１の初期スキャンと同様の動作により、チューナー１１に対して、地上デジタル放送波から受信可能なチャンネルの識別情報と当該チャンネルのリモコンキー番号の情報とを取得させる指示をし、取得されたチャンネル識別情報とリモコンキー番号情報とを対応付けて再スキャン結果テーブルとしてＮＶＲＡＭ２５４に格納する。尚、再スキャン結果テーブルのデータ構成は、上述した割当テーブル（図３）と同様であるので、説明は省略する。次に、この再スキャン結果テーブルを用いた、再スキャン結果に基づくリモコンチャンネル設定変更の動作について図９を用いて説明する。
【００３７】
図９は実施の形態２に係るリモコンチャンネル設定変更画面を示す図である。制御部２５は、ユーザによるリモコン２１の操作（例えばメニューキー２１９）により操作信号処理部２２から再スキャン結果に基づくリモコンチャンネル設定変更操作の操作信号が入力されたとき、ＯＳＤ処理回路１４に対して、上述した実施の形態１と同様の動作により、ＮＶＲＡＭ２５４に記憶された割当テーブルの情報とリモコンキー配列映像の情報とに基づく第３のリモコン映像であるリモコン型ＧＵＩ映像３０（以下、「変更後ＧＵＩ映像３０−３」という）と、上記再スキャン結果テーブルの情報とリモコンキー配列映像の情報とに基づく第４のリモコン映像であるリモコン型ＧＵＩ映像３０（以下、「再スキャンＧＵＩ映像３０−４」という）とを表示する映像データを生成させる指示をし、ＯＳＤ処理回路１４により生成された映像データは、映像信号処理回路１３により映像信号に変換されて、表示デバイス１５に、図９に示す、再スキャン結果に基づくリモコンチャンネル設定画面１６０が表示される。尚、このとき制御部２５は、ＮＶＲＡＭ２５４に記憶された割当テーブルと再スキャン結果テーブルとを比較して、新たにチャンネル識別情報が登録されたリモコンキー３１の色調を変えるように指示しても良い。
【００３８】
このように表示された変更後ＧＵＩ映像３０−３及び再スキャンＧＵＩ映像３０−４において、上述した実施の形態１と同様に、ユーザにより、リモコン２１の例えばカーソルキー２１３の操作により、再スキャンＧＵＩ映像３０−４のうち、設定変更する所望のリモコンキー３１を選択する操作と、変更後ＧＵＩ映像３０−３のうち、設定変更する所望のリモコンキー３１を選択する操作とがあると、制御部２５は、割当テーブルのうち、変更後ＧＵＩ映像３０−３から選択されたリモコンキー番号に対応する「放送事業者名」及び「サービス番号」を、再スキャン結果テーブルの再スキャンＧＵＩ映像３０−４から選択されたリモコンキー番号に対応する「放送事業者名」及び「サービス番号」に変更する。
【００３９】
このような動作により、新たな受信可能となったチャンネルの割り当て設定が、ユーザにより設定変更された割り当て設定に上書きされてしまうことがない。即ち、例えば図９に示すように、上記実施の形態１で説明したリモコンチャンネル設定により、変更後ＧＵＩ映像３０−３に示すように、リモコンキー番号（１）〜（９）に対してチャンネルの割り当て設定がされ、リモコンキー番号（１０）〜（１２）に対してチャンネルの割り当て設定がない場合において、再スキャンＧＵＩ映像３０−４に示すように、再スキャンにより新たに、例えばリモコンキー番号（３）、（１０）、（１１）に対応するチャンネルが受信可能となった場合、上述した動作により、ユーザは、変更後ＧＵＩ映像３０−３のチャンネルの割り当て設定がないリモコンキー番号（１０）〜（１２）のリモコンキー３１に、新たに受信可能となったチャンネルを割り当てることにより、ユーザにより設定変更されたリモコンキー番号（１）〜（１０）の設定を保持することが可能となる。
【００４０】
以上のように本実施の形態２においては、変更後ＧＵＩ映像３０−３と、再スキャンＧＵＩ映像３０−４とを表示して、この変更後ＧＵＩ映像３０−３及び再スキャンＧＵＩ映像３０−４から選択されたリモコンキー３１に対応するチャンネル識別情報の割り当てを変更しており、このため、再スキャンにより新たなチャンネルを受信した際に、任意のチャンネルの割り当て設定を反映させることができる。
【００４１】
実施の形態３．
本実施の形態３では、リモコンチャンネル設定を行う際に、ユーザの嗜好に沿ったチャンネルの割り当てを促すリモコンチャンネル設定について説明する。尚、本実施の形態３における地上デジタル放送受信装置１及びリモコン２１の構成は上記実施の形態１と同様である。
【００４２】
まず、地上デジタル放送のチャンネル毎の視聴履歴に基づくチャンネルの順序付けについて説明する。制御部２５は、デマルチプレクサ１２から入力されたＰＳＩ／ＳＩに含まれるチャンネル情報又は番組情報等の視聴履歴情報に基づき、地上デジタル放送の各チャンネルを、視聴頻度（選局回数）の多い順にソートして、このチャンネル順序の情報及びこれに対応するチャンネルの識別情報のリスト（以下、「お好みリスト」という）をＮＶＲＡＭ２５４に記憶させ、所定時間経過毎又は所定の操作により逐次更新する。尚、お好みリストの順序はこれに限らず、所定ジャンルの番組の放送が多いチャンネル順、又は所定の出演者が出演する番組の放送が多いチャンネル順などによりソートしても良い。尚、このような利用者の嗜好に適合したチャンネル又は番組を順序付けて選択するものは公知（例えば、特許文献１参照）であるので、詳細の説明は省略する。
【００４３】
次に、このお好みリストを用いた、お好みリストに基づくリモコンチャンネル設定変更の動作について図１０を用いて説明する。
図１０は実施の形態３に係るリモコンチャンネル設定変更画面を示す図である。制御部２５は、ユーザによるリモコン２１の操作（例えばメニューキー２１９）により操作信号処理部２２からお好みリストに基づくリモコンチャンネル設定変更操作の操作信号が入力されたとき、ＯＳＤ処理回路１４に対して、上述した実施の形態１と同様の動作により、ＮＶＲＡＭ２５４に記憶された割当テーブルの情報とリモコンキー配列映像の情報とに基づくリモコン映像であるリモコン型ＧＵＩ映像３０（以下、「変更後ＧＵＩ映像３０−５」という）と、ＮＶＲＡＭ２５４に記憶された上記お好みリストの情報を表示するチャンネルリスト映像（以下、「お好みリスト映像４０」という）とを表示する映像データを生成させる指示をし、ＯＳＤ処理回路１４により生成された映像データは、映像信号処理回路１３により映像信号に変換されて、表示デバイス１５に、図１０に示す、お好みリストに基づくリモコンチャンネル設定画面１７０が表示される。
このお好みリスト映像４０は、例えば図１０に示すように、地上デジタル放送の各チャンネルを、視聴頻度（選局回数）の多い順に所定のチャンネル数（例えば、５チャンネル）分を表示し、各チャンネル毎に対応する放送事業者名及びサービス番号を表示するものである。また、例えばリモコン２１のカーソルキー２１３の操作により上下にスクロールが可能である。
【００４４】
このように表示された変更後ＧＵＩ映像３０−５及びお好みリスト映像４０において、上述した実施の形態１と同様に、ユーザにより、リモコン２１の例えばカーソルキー２１３の操作により、変更後ＧＵＩ映像３０−５のうち、設定変更する所望のリモコンキー３１を選択する操作と、お好みリスト映像４０のうち、リモコンキー３１に割り当てたいチャンネルを選択する操作とがあると、制御部２５は、割当テーブルのうち、変更後ＧＵＩ映像３０−５から選択されたリモコンキー番号に対応する「放送事業者名」及び「サービス番号」を、ＮＶＲＡＭ２５４に記憶したお好みリストのうち、お好みリスト映像４０から選択されたチャンネルに対応する「放送事業者名」及び「サービス番号」に変更する。
【００４５】
以上のように本実施の形態１においては、変更後ＧＵＩ映像３０−５と、地上デジタル放送のチャンネル毎の視聴履歴に基づき各チャンネルを順序づけたお好みリスト映像４０とを表示しており、このため、割り当て設定をする際、ユーザーの嗜好に沿ったチャンネルの割り当てを促すことができる。
【００４６】
実施の形態４．
上記実施の形態１〜３においては、リモコン型ＧＵＩ映像は、リモコンキーの配列が３行４列の場合を説明したが、本実施の形態５では、キー配列が異なる複数のリモコンキー配列映像から任意のキー配列を選択する。尚、本実施の形態４における地上デジタル放送受信装置１及びリモコン２１の構成は上記実施の形態１と同様である。
【００４７】
本実施の形態４におけるＲＯＭ２５２には予め、それぞれキー配列が異なる複数のリモコンキー配列映像の情報が記憶される。制御部２５は、ユーザによるリモコン２１の操作（例えばメニューキー２１９）に応じて、リモコンキー配列を選択する操作信号に基づき複数のリモコンキー配列映像のうち何れかを選択し、ＯＳＤ処理回路１４に対して、選択したリモコンキー配列映像の情報に基づき、リモコン映像を表示する映像データを出力させる指示をする。
【００４８】
図１１は実施の形態４に係るリモコン型ＧＵＩの構成を示す図である。図１１に示すように、リモコン型ＧＵＩ映像５０は、キー配列が異なる複数のリモコンキー配列映像の例として、４行３列のキー配列のリモコンキー配列映像である。
このように、それぞれキー配列が異なる複数のリモコンキー配列映像から任意の映像を選択することにより、例えば、当該地上デジタル放送受信装置１に付属されたリモコン２１以外のリモコン（社外品等）を利用する場合に、キー配列が異なる場合であっても、利用するリモコンのキー配列とリモコン型ＧＵＩ５０とを適合させることが可能となる。
【００４９】
以上のように本実施の形態４においては、キー配列が異なる複数のリモコンキー配列映像のうち何れかを選択し、選択されたキー配列のリモコン映像を表示しており、このため、複数のキー配列のリモコン映像のうち、任意のリモコン映像を選択することができ、利用するリモコンのキー配列に合ったリモコン映像を選択することができる。
【００５０】
尚、上記実施の形態１〜４では、リモコンキー３１の放送事業者名表示３１２に放送事業者の名称を示す文字列を表示させたが、本発明はこれに限らず、リモートコントロールキーＩＤに含まれるロゴマーク情報を利用し、リモコンキー３１にロゴマーク映像を表示させても良い。これにより、さらに直感的に理解し易くすることができる。
【図面の簡単な説明】
【００５１】
【図１】実施の形態１に係る地上デジタル放送受信装置の構成を示すブロック図である。
【図２】実施の形態１に係るリモコンの主要部を模式的に示した図である。
【図３】実施の形態１に係る割当テーブルの構成とデータ例である。
【図４】実施の形態１に係るリモコン型ＧＵＩの構成を示す図である。
【図５】実施の形態１に係るリモコン型ＧＵＩのチャンネル識別表示の詳細を示す図である。
【図６】実施の形態１に係るリモコンチャンネル設定変更画面を示す図である。
【図７】実施の形態１に係るリモコンチャンネル設定変更動作を示すフローチャートである。
【図８】実施の形態１に係るリモコンチャンネル設定変更動作を示すフローチャートである。
【図９】実施の形態２に係るリモコンチャンネル設定変更画面を示す図である。
【図１０】実施の形態３に係るリモコンチャンネル設定変更画面を示す図である。
【図１１】実施の形態４に係るリモコン型ＧＵＩの構成を示す図である。
【符号の説明】
【００５２】
１  地上デジタル放送受信装置、１０  アンテナ、１１  チューナー、１２  デマルチプレクサ、１３  映像信号処理回路、１４  ＯＳＤ処理回路、１５  表示デバイス、１６  音声信号処理回路、１７  アンプ、１８  スピーカー、２１  リモコン、２２  操作信号処理部、２５  制御部、２６  バス、３０  リモコン型ＧＵＩ映像、３１  リモコンキー、４０  お好みリスト、５０  リモコン型ＧＵＩ映像、１５０  リモコンチャンネル設定画面、１６０  再スキャン結果に基づくリモコンチャンネル設定画面、１７０  お好みリストに基づくリモコンチャンネル設定画面、１５１  確定キー、１５２  取消キー、２１１  チューナー選択キー、２１２  ワンタッチ選局キー、２１３  カーソルキー、２１４  エンターキー、２１７  チャンネル増キー、２１８  チャンネル減キー、２１９  メニューキー、２５１  ＣＰＵ、２５２  ＲＯＭ、２５３  ＲＡＭ、２５４  ＮＶＲＡＭ、３１１  リモコンキー番号表示、３１２  放送事業者名表示、３１３  サービス番号表示。
【図１】
2008154053.tif 000003
【図２】
2008154053.tif 000004
【図３】
2008154053.tif 000005
【図４】
2008154053.tif 000006
【図５】
2008154053.tif 000007
【図６】
2008154053.tif 000008
【図７】
2008154053.tif 000009
【図８】
2008154053.tif 000010
【図９】
2008154053.tif 000011
【図１０】
2008154053.tif 000012
【図１１】
2008154053.tif 000013